(57)【要約】【課題】  完成後の４角形のフレームの大きさに相当するオープンスペースがなくとも、テントを張る位置の床等にベッド等の障害物がある場合にあっても、無理なくテントを張るとこができるテント類の折り畳みフレームの提供を図る。【解決手段】  ２本のパイプ状部材１１をＸ字状に接続したｘ字状部１３を備えた蛇腹状伸縮部と、４本の支柱とを備える。支柱のそれぞれが、上記取付部について上取付部３１、中取付部３２、下取付部２２の３つの取付部を有する。各上取付部３１は、２個のパイプ状部材１１の上位端部１５を、、中取付部３２は１個の下位端部１６を、下取付部３３は１個の下位端部１６を、取り付ける。左右蛇腹状伸縮部２１、２２と前後蛇腹状伸縮部２３、２４との２段階の伸張手順により折り畳みフレームを伸張させる。【選択図】図１
2010106530.tif 000002
【特許請求の範囲】
【請求項１】
中央の交点で２本のパイプ状部材をＸ字状に互いに回動可能に接続したｘ字状部を１個以上備えた蛇腹状伸縮部と、少なくとも４本の支柱とを備え、当該４本の支柱が平面視４角形の４角に配置され、同４角形の前後左右の４辺に蛇腹状伸縮部が配置され、蛇腹状伸縮部の端部を構成する２本のパイプ状部材の上方に位置する上位端部及び下方に位置する下位端部のそれぞれが取付部を介して回動可能に支柱に取り付けられると共に、上位端部の取付部が上記の支柱に対して摺動不能であり、且つ、下位端部の取付部が上記の支柱の長手方向に沿って摺動可能に取り付けられることにより、上記の蛇腹状伸縮部が伸縮するようにしたテント類の折り畳みフレームにおいて、
上記の４角形の４角に配置された支柱のそれぞれが、上記取付部について上取付部、中取付部、下取付部の３つの取付部を有するものであり、
上取付部は、前後何れか一方と左右何れか一方との２つの蛇腹状伸縮部における２個の上位端部を、上記の４角形の４角に配置された支柱に摺動不能且つ回動可能に取り付けるものであり、
中取付部は、左又は右の蛇腹状伸縮部における１個の下位端部を、上記の４角形の４角に配置された支柱に摺動可能且つ回動可能に取り付けるものであり、
下取付部は、前又は後の蛇腹状伸縮部における１個の下位端部を、上記の４角形の４角に配置された支柱に摺動可能且つ回動可能に取り付けるものであり、
上記の各蛇腹状伸縮部が収縮した折り畳み状態から、左右の蛇腹状伸縮部を伸張させて中取付部を上昇させた後、前後の蛇腹状伸縮部を伸張させて下取付部を上昇させることにより、左右と前後との２段階の伸張手順により平面視四角形に折り畳みフレームを伸張させるようにしたことを特徴とするテント類の折り畳みフレーム。
【請求項２】
請求項１記載のテント類の折り畳みフレームと、これに支持されるシート状体とを備えた折り畳みテント類。
【請求項３】
請求項１記載のテント類の折り畳みフレームと、これに支持されるシート状体とを備え、このシート状体が天部との周囲から降ろされた側部とを備え、シート状体を上記の折り畳みフレームに支持させた状態で、シート状体の側部の下端が接地しているものであり、
医療用ベッドを内部に配置した状態で前記の畳みフレームを伸張させることができ、
シート状体を伸張状体のフレームに支持させることにより、上記の医療用ベッドを内部に配置した部屋が外部から区画された状態となる医療用テント類。
【請求項４】
請求項１記載のテント類の折り畳みフレームを、折り畳んだ状態で、医療用ベッドを近辺に配置し、
前記の左右の蛇腹状伸縮部を伸張させて中取付部を上昇させることにより、右前と左前の支柱を上記の医療用ベッドの前に配置すると共に右後と左後の支柱を上記の医療用ベッドの後に配置し、
前記前後の蛇腹状伸縮部を伸張させて下取付部を上昇させることにより、右前と左前の支柱をそれぞれ上記の医療用ベッドの右前と左前に配置すると共に、右後と左後の支柱を上記の医療用ベッドの右後と左後に配置し、
これにより、上記医療用ベッドの略対角線上において支柱を移動させることなく、上記医療用ベッドの四角に上記支柱を配置し、
この伸張状態のテント類の折り畳みフレームにテントシートを支持させることにより、医療用ベッドを内部に配置した状態で上記のテントシートが張られることを特徴とする医療用の組立式テントの張設方法。
【発明の詳細な説明】
【技術分野】
【０００１】
本願発明は、テント類の折り畳みフレーム及び医療用の組立式テントに関するもである。
【背景技術】
【０００２】
従来より、蛇腹状の伸縮部を有する平面視４角形のテント類の折り畳みフレームは、種々提案されている（特許文献１〜４）。
具体的には、特許文献１〜４には、下記の構成を備えたテント類の折り畳みフレームがが開示されている。この従来の折り畳みフレームにあっては、中央の交点で２本のパイプ状部材をＸ字状に互いに回動可能に接続したｘ字状部を１個以上備えた蛇腹状伸縮部と、４本の支柱とを備える。当該４本の支柱は、平面視４角形の４角に配置され、同４角形の前後左右の４辺に蛇腹状伸縮部が配置される。蛇腹状伸縮部の端部を構成する２本のパイプ状部材の上方に位置する上位端部及び下方に位置する下位端部のそれぞれが取付部を介して回動可能に支柱に取り付けられると共に、上位端部の取付部が上記の支柱に対して摺動不能であり、且つ、下位端部の取付部が上記の支柱の長手方向に沿って摺動可能に取り付けられている。そして、上記の４角形の４角に配置された支柱のそれぞれは、上記取付部について上取付部と下取付部との２つの取付部を有する。上取付部は、前後何れか一方と左右何れか一方との２つの蛇腹状伸縮部における２個の上位端部を、上記の４角形の４角に配置された支柱に摺動不能且つ回動可能に取り付けるものである。下取付部は、前後何れか一方と左右何れか一方との２つの蛇腹状伸縮部における２個の下位端部を、上記の４角形の４角に配置された支柱に摺動可能且つ回動可能に取り付けるものである。
【０００３】
これら特許文献１〜４に係る折り畳みフレームにあっては、上記のように、１本の支柱には、上取付部と下取付部との２個の取付部のみが設けられており、下取付部は、前後何れか一方と左右何れか一方との２つの蛇腹状伸縮部における２個の下位端部を、上記の４角形の４角に配置された支柱に摺動可能且つ回動可能に取り付けるものであるため、上記の各蛇腹状伸縮部が収縮した折り畳み状態から、伸張状態になる際には、前後左右の全ての蛇腹状伸縮部が同時に伸張することになる。その結果、ワンタッチで４角形のフレームが完成する反面、完成後の４角形のフレームの大きさに相当するオープンスペースがなければ、円滑に伸張作業が出来ないし、また反対に収縮作業も出来ないという欠点を有するものである。
【０００４】
特許文献１〜４に記載のフレームにあっては、支柱が広がる際に、前後と左右との４つの蛇腹状伸縮部が同時に広がる結果、右前の支柱を中心に考えると、右後の支柱は後方に移動し、左前の支柱は左方に移動し、さらに、左後の支柱は左後方へ斜めに移動する。即ち、完成後の４角形のフレームの対角線上の左後の支柱が移動しなければ、テントフレームの伸縮を行うことができないこととなる。
【０００５】
その結果、例えば、病院の一つの医療用ベッドを内部に収納に配置した状態で、このテントの回りを囲うように密閉性を有するテントを張ることによって、ベッドを収納したテント内部と、外部との空間を区画しようとしても、４角形のフレームの対角線上の左後の支柱が移動しなければ、テントフレームの伸縮を行うことができないため、ベッド（場合によっては看者が寝ているベッド）に、支柱がぶつかってしまって、実質的にテントフレームの収縮作業を行うことができない。
【０００６】
そのため、完成後の４角形のフレームの大きさに相当するオープンスペースを、ベッドの側に確保して、このオープンスペースでテントフレームを伸張させた後、ベッドを移動させるか、テントフレームを移動させて、テント内にベッドを収容することになる。ところが、病室や診療室は、必ずしも広いスペースが確保されているわけではなく、実質的にテントを張ることができないという事態も生じてしまうものである。
【０００７】
【特許文献１】特許第３７４３７５４号公報
【特許文献２】特開２００４−２７８０３号公報
【特許文献３】特表２００３−５１１５９３号公報
【特許文献４】特開２００３−２５３９１６号公報
【発明の開示】
【発明が解決しようとする課題】
【０００８】
本願発明の目的は、完成後の４角形のフレームの大きさに相当するオープンスペースがなくとも、テントを張る位置の床等にベッド等の障害物がある場合にあっても、無理なくテントを張るとこができるテント類の折り畳みフレームを提供することにあり、本願発明の他の目的は、医療用ベッドの略対角線上において支柱を移動させることなく、上記医療用ベッドの四角に上記支柱を配置し得る医療用の組立式テントの張設方法を提供することにある。
【課題を解決するための手段】
【０００９】
本願の請求項１に係る発明は、中央の交点で２本のパイプ状部材をＸ字状に互いに回動可能に接続したｘ字状部を１個以上備えた蛇腹状伸縮部と、少なくとも４本の支柱とを備え、当該４本の支柱が平面視４角形の４角に配置され、同４角形の前後左右の４辺に蛇腹状伸縮部が配置され、蛇腹状伸縮部の端部を構成する２本のパイプ状部材の上方に位置する上位端部及び下方に位置する下位端部のそれぞれが取付部を介して回動可能に支柱に取り付けられると共に、上位端部の取付部が上記の支柱に対して摺動不能であり、且つ、下位端部の取付部が上記の支柱の長手方向に沿って摺動可能に取り付けられることにより、上記の蛇腹状伸縮部が伸縮するようにしたテント類の折り畳みフレームにおいて、
上記の４角形の４角に配置された支柱のそれぞれが、上記取付部について上取付部、中取付部、下取付部の３つの取付部を有するものであり、
上取付部は、前後何れか一方と左右何れか一方との２つの蛇腹状伸縮部における２個の上位端部を、上記の４角形の４角に配置された支柱に摺動不能且つ回動可能に取り付けるものであり、
中取付部は、左又は右の蛇腹状伸縮部における１個の下位端部を、上記の４角形の４角に配置された支柱に摺動可能且つ回動可能に取り付けるものであり、
下取付部は、前又は後の蛇腹状伸縮部における１個の下位端部を、上記の４角形の４角に配置された支柱に摺動可能且つ回動可能に取り付けるものであり、
上記の各蛇腹状伸縮部が収縮した折り畳み状態から、左右の蛇腹状伸縮部を伸張させて中取付部を上昇させた後、前後の蛇腹状伸縮部を伸張させて下取付部を上昇させることにより、左右と前後との２段階の伸張手順により平面視四角形に折り畳みフレームを伸張させるようにしたことを特徴とするテント類の折り畳みフレームを提供する。
本願の請求項２に係る発明は、請求項１記載のテント類の折り畳みフレームと、これに支持されるシート状体とを備えた折り畳みテント類を提供する。
本願の請求項３に係る発明は、請求項１記載のテント類の折り畳みフレームと、これに支持されるシート状体とを備え、このシート状体が天部との周囲から降ろされた側部とを備え、シート状体を上記の折り畳みフレームに支持させた状態で、シート状体の側部の下端が接地しているものであり、
医療用ベッドを内部に配置した状態で前記の畳みフレームを伸張させることができ、
シート状体を伸張状体のフレームに支持させることにより、上記の医療用ベッドを内部に配置した部屋が外部から区画された状態となる医療用テント類を提供する。
本願の請求項４に係る発明は、請求項１記載のテント類の折り畳みフレームを、折り畳んだ状態で、医療用ベッドを近辺に配置し、
前記の左右の蛇腹状伸縮部を伸張させて中取付部を上昇させることにより、右前と左前の支柱を上記の医療用ベッドの前に配置すると共に右後と左後の支柱を上記の医療用ベッドの後に配置し、
前記前後の蛇腹状伸縮部を伸張させて下取付部を上昇させることにより、右前と左前の支柱をそれぞれ上記の医療用ベッドの右前と左前に配置すると共に、右後と左後の支柱を上記の医療用ベッドの右後と左後に配置し、
これにより、上記医療用ベッドの略対角線上において支柱を移動させることなく、上記医療用ベッドの四角に上記支柱を配置し、
この伸張状態のテント類の折り畳みフレームにテントシートを支持させることにより、医療用ベッドを内部に配置した状態で上記のテントシートが張られることを特徴とする医療用の組立式テントの張設方法を提供する。
なお、本願発明において、上下前後左右は、各部の相対的な位置関係を示すに止まり、絶対的な位置を特定するものではない。
【発明の効果】
【００１０】
本願の請求項１の発明は、完成後の４角形のフレームの大きさに相当するオープンスペースがなくとも、テントを張る位置の床等にベッド等の障害物がある場合にあっても、無理なくテントを張るとこができるテント類の折り畳みフレームを提供することができたものである。
また本願の請求項２の発明は、請求項１のテント類の折り畳みフレームを用いた医療用の組立式テントを提供すことができたものであり、医療用ベッドを置いたままで、医療用ベッドの対角線上において支柱を移動させることなく組み立てることできる医療用の組立式テントを張設方法を提供することができたものである。
【発明を実施するための最良の形態】
【００１１】
以下、図面に基づき本願発明の実施の形態を説明する。
図１は  本願の実施の形態に係るテントの斜視図である。
図２（Ａ）は同テントフレームの折り畳み状態の平面図と側面図であり、（Ｂ）は同テントフレームの折り畳み状態から左蛇腹状伸縮部及び右蛇腹状伸縮部を伸張する過程の平面図と側面図であり、（Ｃ）は同テントフレームの左蛇腹状伸縮部及び右蛇腹状伸縮部を伸張した状態の平面図と側面図である。
図３（Ａ）は同テントフレームの平面図であり、（Ｂ）は正面図である。
【００１２】
この実施の形態に係るテントは、図１に示すように、シートとフレームとを備える。シートは平面視略長方形の天部シートｓ１とその４辺から垂下された側部シートｓ２とを備え、伸張組み立てしたフレームに支持された状態で側部シートｓ２の下端は接地した状態となり、これによって、外部とは区画された内部空間が形成される。
【００１３】
フレームは、４本の支柱と、この４本の支柱間に支持された蛇腹状伸縮部とを備える。支柱は、平面視四角形の４角に配位される左前支柱１ａ、左後支柱１ｂ、右前支柱１ｃ及び右後支柱１ｄからなる。蛇腹状伸縮部は、これらの支柱間に支持されたもので、左蛇腹状伸縮部２１、右蛇腹状伸縮部２２、前蛇腹状伸縮部２３及び後蛇腹状伸縮部２４とからなる。支柱は、この例では２段に伸縮するものを用いているが、非伸縮式のもであってもよく、複数本を接続するものであってもよい。
【００１４】
各蛇腹状伸縮部は、図２に示すように、２本の直線状のパイプ１１をＸ字状に接続したｘ字状部１３を備える。この２本のパイプ１１は、中央の交点１２で互いに回動可能に接続されている。左蛇腹状伸縮部２１と右蛇腹状伸縮部２２とは、このｘ字状部１３を２つ接続して用いたものである。接続方法は、一つのｘ字状部１３をなす２本のパイプ１１の端部と、他の一つのｘ字状部１３をなす２本のパイプ１１の端部とを、それぞれ接続部１４で回動可能に接続したものである。図３に示すように、前蛇腹状伸縮部２３と後蛇腹状伸縮部２４とは、それぞれ一つのｘ字状部１３のみによって構成されている。
【００１５】
ここで、パイプ１１は、アルミやスチール等の金属製や合成樹脂製の中空のパイプを用いることができるが、中実の長尺部材を用いることもできる。また断面形状は円形や多角形などのものを用いることができ、これらを含めてパイプ状部材と称する。各蛇腹状伸縮部を構成するｘ字状部１３の数は１個もしくは複数個に、適宜変更することが出来る。
【００１６】
各蛇腹状伸縮部の端部を構成する２本のパイプ１１のうち、上方に位置するパイプ１１の端部（以下、上位端部１５という）及び下方に位置する端部（以下、下位端部１６という）のそれぞれは、取付部を介して回動可能に４本の支柱にそれぞれ取り付けられている。
【００１７】
上記の取付部は、各支柱について上取付部３１、中取付部３２、下取付部３３の３個が設けられている。左前支柱１ａに設けられた上取付部３１は、左蛇腹状伸縮部２１と前蛇腹状伸縮部２３の上位端部１５を摺動不能且つ上下に回動可能に取り付けるものである。左後支柱１ｂに設けられた上取付部３１は、左蛇腹状伸縮部２１と後蛇腹状伸縮部２４の上位端部１５を摺動不能且つ上下に回動可能に取り付けるものである。右前支柱１ｃに設けられた上取付部３１は、右蛇腹状伸縮部２２と前蛇腹状伸縮部２３の上位端部１５を摺動不能且つ上下に回動可能に取り付けるものである。右後支柱１ｄに設けられた上取付部３１は、右蛇腹状伸縮部２２と後蛇腹状伸縮部２４の上位端部１５を摺動不能且つ上下に回動可能に取り付けるものである。
【００１８】
左前支柱１ａに設けられた中取付部３２は、左蛇腹状伸縮部２１の下位端部１６を、支柱の長手方向にそって摺動可能且つ上下方向に回動可能に取り付けるものである。左後支柱１ｂに設けられた中取付部３２は、左蛇腹状伸縮部２１の下位端部１６を、支柱の長手方向にそって摺動可能且つ上下方向に回動可能に取り付けるものである。右前支柱１ｃに設けられた中取付部３２は、右蛇腹状伸縮部２２の下位端部１６を、支柱の長手方向にそって摺動可能且つ上下方向に回動可能に取り付けるものである。右後支柱１ｄに設けられた中取付部３２は、右蛇腹状伸縮部２２の下位端部１６を、支柱の長手方向にそって摺動可能且つ上下方向に回動可能に取り付けるものである。
【００１９】
左前支柱１ａに設けられた下取付部３３は、前蛇腹状伸縮部２３の下位端部１６を、支柱の長手方向にそって摺動可能且つ上下方向に回動可能に取り付けるものである。左後支柱１ｂに設けられた下取付部３３は、後蛇腹状伸縮部２４の下位端部１６を、支柱の長手方向にそって摺動可能且つ上下方向に回動可能に取り付けるものである。右前支柱１ｃに設けられた下取付部３３は、前蛇腹状伸縮部２３の下位端部１６を、支柱の長手方向にそって摺動可能且つ上下方向に回動可能に取り付けるものである。右後支柱１ｄに設けられた下取付部３３は、後蛇腹状伸縮部２４の下位端部１６を、支柱の長手方向にそって摺動可能且つ上下方向に回動可能に取り付けるものである。
【００２０】
これらの取付部３１、３２、３３は、支柱とは別体のブロック状等の部材に、支柱を摺動可能に挿通する穴を上下方向に貫通して設けると共に、上位又は下位の端部１５、１６を回動可能に支持する軸部を設けたものであり、共通部品として製造し得る。そして、上取付部３１は、支柱に対してネジや溶接等の固定手段によって固定してしまい、中取付部３２及び下取付部３３は、支柱に対して摺動可能として、所定の位置（各蛇腹状伸縮部が適切な長さに伸張した状態における中取付部３２及び下取付部３３の位置）で仮固定できるようにしておく。仮固定の方法としては、例えばピンを取付部から支柱に通すためる位置決め穴（図示せず）を設けておくものでもよく、回動できるネジで固定するものでもよく、適宜変更して実施し得る。もちろん、これらの取付部３１、３２、３３は、共通部品とする必要はかならずしもなく、特に、上取付部３１は支柱に回動のためる軸受けを直接溶接などで設けたものとして実施してもよい。
【００２１】
組み立てに際しては、図２に示すように、上記の各蛇腹状伸縮部が収縮した折り畳み状態から、まず、左蛇腹状伸縮部２１と右蛇腹状伸縮部２２とを伸張させる。具体的には、左後支柱１ｂ及び右後支柱１ｄを後方へ引っ張って、左前支柱１ａ及び右前支柱１ｃから遠ざける。これにより、左蛇腹状伸縮部２１及び右蛇腹状伸縮部２２が伸びると共に、各支柱の中取付部３２が上昇する。上昇した中取付部３２は、適宜の固定手段で固定させて蛇腹状伸縮部の伸張状態を維持させる。固定手段としては、ボルトナット、ピボット、ピン等のテントに一般的に用いられる固定手段を適宜選択して用いることができる。この例では、ピンｐ用いたもので、図４に示すように、支柱に設けた位置決め穴にピンｐを通すことによって固定する。この位置決め穴は、上の位置決め穴ｐ１と、下の位置決め穴ｐ２とがそれぞれの支柱に設けられているが、中取付部３２についてはｐ１にｐを通して固定する（図４（Ｂ））。
【００２２】
次に、前蛇腹状伸縮部２３と後蛇腹状伸縮部２４を伸張させる。具体的には左前支柱１ａ又は右前支柱１ｃを互いに遠ざかるように横方向に移動させ、左後支柱１ｂ又は右後支柱１ｄをを互いに遠ざかるように横方向に移動させる。これにより、前蛇腹状伸縮部２３及び後蛇腹状伸縮部２４が伸張し、下取付部３３が上昇するものであり、この状態で、ｐをｐ２に通して固定する（図４（Ｃ））。そして、必要に応じて、伸縮式の支柱であれば伸張用支柱１０を伸張して、フレームを完成させる（図１）。
【００２３】
このように、左蛇腹状伸縮部２１と右蛇腹状伸縮部２２は中取付部３２に取り付けられ、前蛇腹状伸縮部２３と後蛇腹状伸縮部２４は下取付部３３に取り付けられており、左右と、前後とが、別々に伸縮する事が出来るものである。従って、フレームの拡張に障害となるものを内部に配置してテントを張る場合にあっても、支柱がベッドｂを対角線上に移動することなく、フレームを伸張させることができる。
【００２４】
具体的には、このフレームを、折り畳んだ状態で、医療用のベッドｂを内部に配置した状態で広げるには、折り畳んだフレームをベッドｂの近辺（例えば、ベッドの右前）に配置する。
この状態から、左蛇腹状伸縮部２１及び右蛇腹状伸縮部２２を伸張させるが、その際、左後支柱１ｂ及び右後支柱１ｄは、ベッドｂの右側にそって後方に移動する（図３（Ａ）の矢印イ）。
さらに次に、前蛇腹状伸縮部２３及び後蛇腹状伸縮部２４を伸張させるが、その際、左前支柱１ａ及び左後支柱１ｂは、ベッドｂの前側及び後側に沿って移動するものであり（図３（Ａ）の矢印ロ）、ベッドｂの略対角線上において支柱を移動させることなく、ベッドｂの四角に４本の支柱を配置することができる。
【００２５】
他方、逆の手順によって、ベッドなどの干渉物を設置したまま、フレームのみを折り畳むことも容易になる。
【００２６】
以上の要領で拡張させフレームに、シートを支持させてテントが完成する。シートは、用途に応じて適宜変更できる。祭事用のテントであれば、天部シートｓ１のみで実施することもできる。また、日除け用であれば、通気性の高いメッシュを用いても良い。逆に、医療用や食品工場や精密作業用などで、クリーンルームとして使用する場合には、側部シートｓ２の下端を接地させて、地面との隙間を生じさせないことが望ましく、シート同士の接続についても、気密性の高い構造とすることが望ましく、シートの素材や接続方法についても、ガスバリア性を考慮した設計することが望ましい。シートの支持方法は、フレームの上から被せるように設置するものでもよく、フレーム内に吊り下げるものであってもよい。
【００２７】
支柱については、四角形の４角にそれぞれ１本を設けることは必須であるが、これら４角の支柱の間に中間の支柱を設けることもできる。また、蛇腹状伸縮部の間に、補助のパイプを渡すなどして、天部の補強を行うようにしてもよい。
【図面の簡単な説明】
【００２８】
【図１】本願の実施の形態に係るテントの斜視図である。
【図２】（Ａ）は同テントフレームの折り畳み状態の平面図と側面図であり、（Ｂ）は同テントフレームの折り畳み状態から左蛇腹状伸縮部及び右蛇腹状伸縮部を伸張する過程の平面図と側面図であり、（Ｃ）は同テントフレームの左蛇腹状伸縮部及び右蛇腹状伸縮部を伸張した状態の平面図と側面図である。
【図３】（Ａ）は同テントフレームの平面図であり、（Ｂ）は正面図である。
【図４】中取付部と下取付部の固定構造を示す説明図で、（Ａ）は固定前の状態、（Ｂ）は中取付部を固定した状態、（Ｃ）は中取付部と下取付部とを固定した状態を示す者手ある。
【符号の説明】
【００２９】
ｓ１  天部シート
ｓ２  側部シート
１ａ  左前支柱
１ｂ  左後支柱
１ｃ  右前支柱
１ｄ  右後支柱
１１  パイプ
１２  交点
１３  ｘ字状部
１４  接続部
１５  上位端部
１６  下位端部
２１  左蛇腹状伸縮部
２２  右蛇腹状伸縮部
２３  前蛇腹状伸縮部
２４  後蛇腹状伸縮部
３１  上取付部
３２  中取付部
３３  下取付部
【図１】
2010106530.tif 000003
【図２】
2010106530.tif 000004
【図３】
2010106530.tif 000005
【図４】
2010106530.tif 000006